(57)【要約】【課題】当該告知放送受信機に設定されている周波数とは異なる周波数を新たに追加することが可能となる、告知放送受信機を提供すること。【解決手段】告知放送受信機１は、告知放送の周波数を特定する周波数特定情報を記憶する周波数テーブル１９ａと、所定の周波数帯域を走査する走査部１５と、走査部１５にて走査された所定の周波数帯域内の周波数に対応する告知放送信号を無線受信する無線受信部１０と、走査部１５にて所定の周波数帯域を走査させながら、無線受信部１０にて告知放送信号が無線受信されたか否かを判定し、当該無線受信部１０にて告知放送信号が無線受信されたと判定した場合に、当該告知放送信号に対応する周波数を、周波数特定情報として周波数テーブル１９ａに記憶させる制御部１８と、周波数テーブル１９ａに記憶された周波数特定情報に基づいて、放送の対象になる周波数を選択するチャンネル選択スイッチ１６ａ１〜１６ａ３とを備えている。【選択図】図１
2014033246.tif 000002
【特許請求の範囲】
【請求項１】
送信手段から無線送信された告知放送信号を受信して告知放送を行う告知放送受信機であって、
前記告知放送の周波数を特定する周波数特定情報を記憶する記憶手段と、
所定の周波数帯域を走査する走査手段と、
前記走査手段にて走査された前記所定の周波数帯域内の周波数に対応する前記告知放送信号を無線受信する無線受信手段と、
前記走査手段にて前記所定の周波数帯域を走査させながら、前記無線受信手段にて前記告知放送信号が無線受信されたか否かを判定し、当該無線受信手段にて前記告知放送信号が無線受信されたと判定した場合に、当該告知放送信号に対応する周波数を、前記周波数特定情報として前記記憶手段に記憶させる制御手段と、
前記記憶手段に記憶された前記周波数特定情報に基づいて、放送の対象になる周波数を選択する選択手段と、
を備える告知放送受信機。
【請求項２】
前記制御手段は、
前記走査手段を間欠的に動作させ、
前記走査手段の動作中に、前記無線受信手段にて前記告知放送信号が無線受信されたか否かを判定し、当該無線受信手段にて前記告知放送信号が無線受信されたと判定した場合に、当該告知放送信号に対応する周波数を、前記周波数特定情報として前記記憶手段に記憶させる、
請求項１に記載の告知放送受信機。
【請求項３】
当該告知放送受信機に関する操作入力を受け付ける操作手段を備え、
前記制御手段は、
前記操作手段を介して所定の操作入力が受け付けられた場合に、前記走査手段を動作させ、
前記走査手段の動作中に、前記無線受信手段にて前記告知放送信号が無線受信されたか否かを判定し、当該無線受信手段にて前記告知放送信号が無線受信されたと判定した場合において、前記操作手段を介して所定の操作入力が受け付けられた場合に、当該告知放送信号に対応する周波数を、前記周波数特定情報として前記記憶手段に記憶させる、
請求項１に記載の告知放送受信機。
【請求項４】
前記無線受信手段にて前記告知放送信号が無線受信された場合に、当該告知放送信号が無線受信された旨を表示する表示手段を備えた、
請求項３に記載の告知放送受信機。
【請求項５】
前記制御手段は、
前記無線受信手段にて無線受信された信号にＤＴＭＦ信号又はテストＤＴＭＦ信号が含まれているか否かを判定し、当該無線受信された信号にＤＴＭＦ信号又はテストＤＴＭＦ信号が含まれていると判定した場合に、当該無線受信された信号のレベルが所定値以上であるか否かを判定し、当該無線受信された信号のレベルが所定値以上であった場合に、前記無線受信手段にて前記告知放送信号が無線受信されたと判定する、
請求項１から４のいずれか一項に記載の告知放送受信機。
【発明の詳細な説明】
【技術分野】
【０００１】
本発明は、告知放送を受信する告知放送受信機に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震等の災害が発生した時の緊急放送を行う際、センター装置は告知放送信号を伝送線路を介して送信し、この告知放送信号を受信機が受信して、告知放送をスピーカにて音声出力する（例えば、特許文献１参照）。
【０００３】
また、近年では、上述した告知放送システムによる告知放送をＦＭ無線を用いて行うことができるシステムも考えられている。このシステムは、概略的に、コミュニティＦＭ局等に設けられた無線送信機と、各住戸内に設置した受信機とを備えて構成されている。ここで、この受信機においては、この受信機が無線送信機から所定の周波数で無線送信される告知放送信号を受信できるように、この所定の周波数があらかじめ設定されている。そして、火災や地震が発生した時に、無線送信機は、上記所定の周波数で告知放送信号を無線送信し、受信機は、この告知放送信号を無線受信して、告知放送をスピーカにて大音量で音声出力する。
【先行技術文献】
【特許文献】
【０００４】
【特許文献１】特開２０１２−００８２８７号公報
【発明の概要】
【発明が解決しようとする課題】
【０００５】
しかしながら、上述した受信機においては、使用性に関して改善の余地があった。例えば、上述したように、受信機には、無線送信機から無線送信される告知放送信号に対応する周波数を特定する周波数があらかじめ設定されているものの、この設定された周波数とは異なる周波数を新たに追加することができなかった。そのため、例えば、新規にコミュニティＦＭが立ち上がった場合に、受信機は、このコミュニティＦＭから無線送信される告知放送信号を受信することができず、新たな告知放送を出力することができないという問題があった。
【０００６】
本発明は、上記に鑑みてなされたものであって、当該告知放送受信機に設定されている周波数とは異なる周波数を新たに追加することが可能となる、告知放送受信機を提供することを目的とする。
【課題を解決するための手段】
【０００７】
上述した課題を解決し、目的を達成するために、請求項１に記載の告知放送受信機は、送信手段から無線送信された告知放送信号を受信して告知放送を行う告知放送受信機であって、前記告知放送の周波数を特定する周波数特定情報を記憶する記憶手段と、所定の周波数帯域を走査する走査手段と、前記走査手段にて走査された前記所定の周波数帯域内の周波数に対応する前記告知放送信号を無線受信する無線受信手段と、前記走査手段にて前記所定の周波数帯域を走査させながら、前記無線受信手段にて前記告知放送信号が無線受信されたか否かを判定し、当該無線受信手段にて前記告知放送信号が無線受信されたと判定した場合に、当該告知放送信号に対応する周波数を、前記周波数特定情報として前記記憶手段に記憶させる制御手段と、前記記憶手段に記憶された前記周波数特定情報に基づいて、放送の対象になる周波数を選択する選択手段とを備えている。
【０００８】
また、請求項２に記載の告知放送受信機は、請求項１に記載の告知放送受信機において、前記制御手段は、前記走査手段を間欠的に動作させ、前記走査手段の動作中に、前記無線受信手段にて前記告知放送信号が無線受信されたか否かを判定し、当該無線受信手段にて前記告知放送信号が無線受信されたと判定した場合に、当該告知放送信号に対応する周波数を、前記周波数特定情報として前記記憶手段に記憶させる。
【０００９】
また、請求項３に記載の告知放送受信機は、請求項１に記載の告知放送受信機において、当該告知放送受信機に関する操作入力を受け付ける操作手段を備え、前記制御手段は、前記操作手段を介して所定の操作入力が受け付けられた場合に、前記走査手段を動作させ、前記走査手段の動作中に、前記無線受信手段にて前記告知放送信号が無線受信されたか否かを判定し、当該無線受信手段にて前記告知放送信号が無線受信されたと判定した場合において、前記操作手段を介して所定の操作入力が受け付けられた場合に、当該告知放送信号に対応する周波数を、前記周波数特定情報として前記記憶手段に記憶させる。
【００１０】
また、請求項４に記載の告知放送受信機は、請求項３に記載の告知放送受信機において、前記無線受信手段にて前記告知放送信号が無線受信された場合に、当該告知放送信号が無線受信された旨を表示する表示手段を備えている。
【００１１】
また、請求項５に記載の告知放送受信機は、請求項１から４のいずれか一項に記載の告知放送受信機において、前記制御手段は、前記無線受信手段にて無線受信された信号にＤＴＭＦ信号又はテストＤＴＭＦ信号が含まれているか否かを判定し、当該無線受信された信号にＤＴＭＦ信号又はテストＤＴＭＦ信号が含まれていると判定した場合に、当該無線受信された信号のレベルが所定値以上であるか否かを判定し、当該無線受信された信号のレベルが所定値以上であった場合に、前記無線受信手段にて前記告知放送信号が無線受信されたと判定する。
【発明の効果】
【００１２】
請求項１に記載の告知放送受信機によれば、制御手段は、走査手段にて所定の周波数帯域を走査させながら、無線受信手段にて前記告知放送信号が無線受信されたか否かを判定し、当該無線受信手段にて告知放送信号が無線受信されたと判定した場合に、当該告知放送信号に対応する周波数を、周波数特定情報として記憶手段に記憶させるので、記憶手段に記憶されている周波数とは異なる周波数を新たに追加することができる。これにより、新規にコミュニティＦＭが立ち上がった場合でも、このコミュニティＦＭから無線送信される告知放送信号を受信することができ、新たな告知放送を出力することができる。また、選択手段は、記憶手段に記憶された周波数特定情報に基づいて、放送の対象になる周波数を選択するので、例えば、ユーザが選択手段を介して所定操作を行うだけで、無線受信手段は、当該選択手段によって選択された周波数であって、上記新たに追加された周波数に対応する告知放送信号を無線受信することができ、当該無線受信した告知放送信号による告知放送を速やかに出力することができる。
【００１３】
また、請求項２に記載の告知放送受信機によれば、制御手段は、走査手段を間欠的に動作させ、走査手段の動作中に、無線受信手段にて告知放送信号が無線受信されたか否かを判定し、当該無線受信手段にて告知放送信号が無線受信されたと判定した場合に、当該告知放送信号に対応する周波数を、周波数特定情報として記憶手段に記憶させるので、この周波数特定情報を記憶手段に記憶させる手間を省くことができ、告知放送受信機の使用性を向上させることができる。
【００１４】
また、請求項３に記載の告知放送受信機によれば、制御手段は、操作手段を介して所定の操作入力が受け付けられた場合に、走査手段を動作させ、走査手段の動作中に、無線受信手段にて告知放送信号が無線受信されたか否かを判定し、当該無線受信手段にて告知放送信号が無線受信されたと判定した場合において、操作手段を介して所定の操作入力が受け付けられた場合に、当該告知放送信号に対応する周波数を、周波数特定情報として記憶手段に記憶させるので、状況に応じた周波数特定情報の記憶が可能となり、告知放送受信機の使用性を向上させることができる。
【００１５】
また、請求項４に記載の告知放送受信機によれば、表示手段は、無線受信手段にて告知放送信号が無線受信された場合に、当該告知放送信号が無線受信された旨を表示するので、ユーザは、告知放送信号を容易に識別することができ、例えば、告知放送信号に対応する周波数のみを、周波数特定情報として記憶手段に記憶することが可能となる。
【００１６】
また、請求項５に記載の告知放送受信機によれば、制御手段は、無線受信手段にて無線受信された信号にＤＴＭＦ信号又はテストＤＴＭＦ信号が含まれており、且つ、当該無線受信された信号のレベルが所定値以上である場合に、無線受信手段にて告知放送信号が無線受信されたと判定するので、例えば、告知放送信号に対応する周波数のみを、周波数特定情報として記憶手段に正確に記憶することが可能となる。
【図面の簡単な説明】
【００１７】
【図１】実施の形態１に係る告知放送受信機の構成を示すブロック図である。
【図２】告知放送信号に含まれる電文の構成を例示した図である。
【図３】実施の形態１に係る周波数テーブルに格納される情報の内容を例示した表である。
【図４】実施の形態１に係る告知放送受信機の外観を示す斜視図である。
【図５】図４の告知放送受信機を示す図であり、（ａ）は正面図、（ｂ）は背面図である。
【図６】実施の形態１に係る告知放送受信機が実行する周波数設定処理のフローチャートである。
【図７】実施の形態１に係る告知放送受信機が実行する緊急放送処理のフローチャートである。
【図８】実施の形態２に係る告知放送受信機の構成を示すブロック図である。
【図９】実施の形態２に係る告知放送受信機が実行する周波数設定処理のフローチャートである。
【発明を実施するための形態】
【００１８】
以下に添付図面を参照して、この発明に係る告知放送受信機に係る各実施の形態を詳細に説明する。最初に、告知放送受信機の構成を説明し、次に、この告知放送受信機が実行する処理について説明し、最後に各実施の形態に対する変形例について説明する。ただし、これら各実施の形態によって本発明が限定されるものではない。なお、各実施の形態に係る告知放送受信機が設置される場所は任意であり、この告知放送受信機を住戸のリビング等の部屋や、商業ビルのテナントフロア等のフロアに設置することができるが、以下では、住戸の部屋に設置された告知放送受信機に適用した場合を例として説明を行う。また、以下の説明では、「告知放送信号」とは、一般用の告知放送信号、緊急用の告知放送信号、及び、設定用の告知放送信号を含む概念である。ここで、「一般用の告知放送信号」とは、一般放送が行われる際に、放送局から送信される信号である。また、「緊急用の告知放送信号」とは、緊急放送が行われる際に（具体的には、一般放送中に割り込んで緊急放送が行われる際に）、放送局から送信される信号であり、例えばＤＴＭＦ信号を含んで構成されている。また、「設定用の告知放送信号」とは、告知放送用の周波数を告知放送受信機に設定可能にするための放送（いわゆる設定放送）が行われる際に、放送局から送信される信号であり、例えばテストＤＴＭＦ信号を含んで構成されている。
【００１９】
〔実施の形態１〕
最初に、実施の形態１について説明する。この形態は、走査手段を間欠的に動作させて、この走査手段の動作中に、周波数特定情報を記憶手段に記憶させる形態である。
【００２０】
（構成）
最初に、告知放送受信機の電気的構成について説明する。図１は、実施の形態１に係る告知放送受信機の構成を示すブロック図である。図１に示したように、告知放送受信機１は、無線受信部１０と、音声切換え部１１と、音量調整部１２と、アンプ１３と、スピーカ１４と、走査部１５と、操作部１６と、表示部１７と、制御部１８と、メモリ１９とを備えている。
【００２１】
無線受信部１０は、図示しないセンター装置（例えば、コミュニティＦＭ局等に設置された公知のセンター装置等）から無線送信された告知放送信号を、後述するアンテナ２２を介して受信する無線受信手段である。具体的には、図１に示すように、無線受信部１０は、図示しないセンター装置によって、所定のキャリアに乗せてＦＭ変調された後、所定周波数（例えば、７６．１ＭＨｚ〜９０．０ＭＨｚの周波数帯域内の周波数等）で無線送信された告知放送信号を、後述するアンテナ２２を介して無線受信する。また、この無線受信部１０は、無線受信した告知放送信号に含まれる音声情報を音声切換え部１１に出力すると共に、告知放送信号に含まれる制御情報（例えば、告知放送が緊急放送又は一般放送の何れかを特定する情報等）を制御部１８に出力する。また、この無線受信部１０は、後述するアンテナ２２を介してラジオ放送信号を受信し、当該ラジオ放送信号に含まれる音声情報を音声切換え部１１に出力する。無線受信部１０はコミュニティＦＭ局等からの緊急用の告知放送を常時受信できるようにするため、複数のチャンネルを同時に受信できるよう複数のチューナを備えており、あるチャンネルをスピーカ１４から放送中であっても他のチャンネルの放送内に含まれる告知放送信号を解読できる構成としている。放送中であっても、他のチャンネルから緊急な告知放送を受信した場合は、緊急の告知放送のチャンネルをスピーカ１４から放送するように切り換える。なお、このセンター装置は、特許請求の範囲における「送信手段」に対応する。
【００２２】
図２は、告知放送信号に含まれる電文の構成を例示した図である。図２に示すように、この告知放送信号の構成については、電文は例えばプリアンブル、スタートコード、通信制御コード、送信元識別コード、データコード、及びエラーチェックコードを含んで構成される。この内、告知放送の放送内容等はデータコードとして電文に付加される。また、通信制御コードを解読することにより、データコードに含まれている情報の種類を特定することができる（具体的には、通信制御コードにＤＴＭＦ信号、又はテストＤＴＭＦ信号が含まれていない場合には、データコードに含まれている情報の種類が「一般放送」であると特定することができる。また、通信制御コードにＤＴＭＦ信号が含まれている場合には、データコードに含まれている情報の種類が「緊急放送」であると特定することができる）。また、通信制御コードにテストＤＴＭＦ信号が含まれている場合には、データコードに含まれている情報の種類が「設定放送」であると特定することができる。
【００２３】
音声切換え部１１は、無線受信部１０から出力された音声情報を音量調整部１２に出力する音声切換え手段である。
【００２４】
音量調整部１２は、音声切換え部１１から出力された音声情報又は音声の音量を調整する音量調整手段である。
【００２５】
アンプ１３は、音量調整部１２から出力された音声情報又は音声を増幅する増幅手段である。
【００２６】
スピーカ１４は、アンプ１３から出力された音声情報又は音声を出力する音声出力手段であり、例えば公知のスピーカで構成されている。
【００２７】
走査部１５は、所定の周波数帯域（例えば、７６．１ＭＨｚ〜９０．０ＭＨｚの周波数帯域等）を走査する走査手段であり、例えば公知のＦＭチューナ等で構成されている。
【００２８】
操作部１６は、告知放送受信機１に対する各種の操作を行うための操作手段である。
この操作部１６は、チャンネル選択スイッチ１６ａ１〜１６ａ３を備えている。チャンネル選択スイッチ１６ａ１〜１６ａ３は、後述する周波数テーブル１９ａに記憶された周波数特定情報に基づいて、放送の対象になる周波数を選択する選択手段である。具体的には、チャンネル選択スイッチ１６ａ１〜１６ａ３の各々は、後述する周波数テーブル１９ａに記憶される周波数特定情報と関連付けられており、例えば、チャンネル選択スイッチ１６ａ１に対して、ユーザによって所定操作が行われた場合に、当該操作されたチャンネル選択スイッチ１６ａ１に関連付けられた周波数特定情報に基づいて、放送の対象になる周波数を選択する。なお、これらチャンネル選択スイッチ１６ａ１〜１６ａ３の具体的な構成は任意であり、例えば公知のプッシュスイッチ等を用いて構成することができる。
【００２９】
表示部１７は、告知放送受信機１に関する情報を表示するための表示手段である。
【００３０】
制御部１８は、告知放送受信機１の各部を制御する制御手段であり、具体的には、ＣＰＵ（例えばマイコン）、当該ＣＰＵ上で解釈実行される各種のプログラム（ＯＳなどの基本制御プログラムや、ＯＳ上で起動され特定機能を実現するアプリケーションプログラムを含む）、及びプログラムや各種の制御データを格納するためのＲＡＭの如き内部メモリを備えて構成されるコンピュータである。なお、この制御部１８によって実行される処理の詳細については後述する。
【００３１】
メモリ１９は、告知放送受信機１の各種制御に必要な情報を記録する記録手段である。具体的には、メモリ１９は、書き換え可能な記録媒体を用いて構成され、例えばフラッシュメモリ等の不揮発性記録媒体を備えて構成される。
また、このメモリ１９は、周波数テーブル１９ａを備えて構成されている。この周波数テーブル１９ａは、告知放送の周波数を特定する周波数特定情報を記憶する記憶手段である。
【００３２】
図３は、実施の形態１に係る周波数テーブル１９ａに格納される情報の内容を例示した表である。図３に示すように、周波数テーブル１９ａには、テーブル項目「チャンネル」、及び「周波数（ＭＨｚ）」に対応する情報が相互に関連付けて格納されている。項目「チャンネル」に対応して格納される情報は、チャンネル選択スイッチ１６ａ１〜１６ａ３に対応するチャンネル名を特定するチャンネル名情報であり、例えば「ＣＨ１」等が格納されている。項目「周波数（ＭＨｚ）」に対応して格納される情報は、周波数特定情報であり、例えば「７６．５」等が格納されている。
【００３３】
続いて、告知放送受信機１の基本構成について説明する。図４は、実施の形態１に係る告知放送受信機１の外観を示す斜視図である。図５は、図４の告知放送受信機１を示す図であり、（ａ）は正面図、（ｂ）は背面図である。これら図４及び図５（ａ）、（ｂ）に示すように、告知放送受信機１は、筐体２０の内部に図示しない各種の電子部品等を収容して構成されている。この筐体２０は、正面カバー２０ａと背面カバー２０ｂとを組み合わされて構成されている。正面カバー２０ａと背面カバー２０ｂの接続方法は任意であるが、例えば、正面カバー２０ａと背面カバー２０ｂは嵌合やネジ留めにて接続することができる。
【００３４】
また、図４、図５（ａ）に示すように、この筐体２０の正面には、操作部１６と、表示部１７と、音響孔２１が設けられている。
【００３５】
ここで、操作部１６としては、具体的には、チャンネル選択スイッチ１６ａ１〜１６ａ３の他に、ラジオチャンネル選択スイッチ１６ｂ１〜１６ｂ３、及びボリュームスイッチ１６ｃが設けられている。ラジオチャンネル選択スイッチ１６ｂ１〜１６ｂ３は、メモリ１９に記憶されたラジオ放送の周波数に関する情報に基づいて、放送の対象になるラジオ放送の周波数（例えば、ＡＭ放送の周波数、又はＦＭ放送の周波数等）を選択するためのラジオ放送周波数選択手段であり、例えば公知のプッシュスイッチ等で構成されている。ボリュームスイッチ１６ｃは、スピーカ１４から出力される音量の調節を指示するための音量調整指示手段であり、例えば公知のロータリースイッチ等で構成されている。
【００３６】
また、表示部１７としては、具体的には、電源表示灯１７ａ、緊急放送表示灯１７ｂ、一般放送表示灯１７ｃ、受信レベル表示灯１７ｄ、充電表示灯１７ｅ、電池状態表示灯１７ｆ、及びチャンネル表示灯１７ｇ１〜１７ｇ６が設けられている。電源表示灯１７ａは、告知放送受信機１の電源ＯＮ時に点灯するものである。緊急放送表示灯１７ｂは、緊急放送時に点灯又は点滅するものである。一般放送表示灯１７ｃは、一般放送時に点灯又は点滅するものである。受信レベル表示灯１７ｄは、無線受信部１０における受信レベルを表示するものであり、例えば、聴取中のチャンネルの受信レベルが所定値以上の場合に点灯し、受信レベルが所定値を下回る場合に点灯又は消灯する。充電表示灯１７ｅは、筐体２０の内部に収容された電池（図示省略）の充電状態を表示するものであり、例えば、電池の充電が未完了状態では点灯又は点滅し、電池の充電が完了状態では消灯する。電池状態表示灯１７ｆは、電池の残量を表示するものであり、例えば、電池の残量が所定値以上の場合に点灯し、電池の残量が所定値を下回る場合に点滅又は消灯する。チャンネル表示灯１７ｇ１〜１７ｇ６は、放送対象のチャンネルである旨を表示するものである。具体的には、チャンネル表示灯１７ｇ１〜１７ｇ６の各々は、チャンネル選択スイッチ１６ａ１〜１６ａ３、ラジオチャンネル選択スイッチ１６ｂ１〜１６ｂ３と関連付けられており（より具体的には、チャンネル表示灯１７ｇ１〜１７ｇ３は、チャンネル選択スイッチ１６ａ１〜１６ａ３と番号の若い順に関連づけられており、チャンネル表示灯１７ｇ４〜１７ｇ６は、ラジオチャンネル選択スイッチ１６ｂ１〜１６ｂ３と番号の若い順に関連づけられている）、例えば、ユーザがチャンネル選択スイッチ１６ａ１を介して所定操作（例えば、チャンネル選択スイッチ１６ａ１を１回押し等）を行った場合には、チャンネル選択スイッチ１６ａ１と関連付けられたチャンネル表示灯１７ｇ１を点灯する。
なお、これら表示部１７の具体的な構成としては、例えば公知のＬＥＤ（Ｌｉｇｈｔ  Ｅｍｉｔｔｉｎｇ  Ｄｉｏｄｅ）と同様の構成を採用することができる。
【００３７】
音響孔２１は、筐体２０の内部に設けたスピーカ１４から出力された音を、当該筐体２０の外部に放出するための貫通孔である。
【００３８】
また、図５（ｂ）に示すように、筐体２０の背面には、アンテナ２２が設けられている。アンテナ２２は、告知放送やラジオ等の電波を受信するための無線受信手段であり、例えば公知のラジオ用アンテナ等で構成されている。
【００３９】
（処理）
次に、このように構成された告知放送受信機１が実行する処理について説明する。告知放送受信機１によって実行される処理は、放送局から無線送信された告知放送信号に対応する周波数を設定する周波数設定処理と、火災や地震等の災害が発生した時に、緊急放送を出力する緊急放送処理とに大別される。以下、これらの処理について説明する。
【００４０】
（処理−周波数設定処理）
まず、告知放送受信機１が実行する周波数設定処理について説明する。図６は、実施の形態１に係る告知放送受信機１が実行する周波数設定処理のフローチャートである（以下の各処理の説明ではステップを「Ｓ」と略記する）。この周波数設定処理の実行タイミングは任意であり、例えば、告知放送受信機１の電源が投入された後、ユーザが操作部１６を介して所定操作（例えば、チャンネル選択スイッチ１６ａ１〜１６ａ３の少なくとも２つ以上のスイッチを同時に長押し等）を行った場合に起動される。
【００４１】
図６に示すように、制御部１８は、所定のタイミングが到来したか否かを判定する。具体的には、所定の時間間隔（例えば、１時間毎等）が経過した場合（あるいは、所定時刻が到来した時）、所定のタイミングが到来したと判定される。一方、所定の時間間隔が経過していない場合、所定のタイミングが到来していないと判定される。
【００４２】
ここで、上記所定のタイミングが到来したと判定された場合（ＳＡ１、Ｙｅｓ）、制御部１８は、走査部１５によって、所定の周波数帯域を走査させる（ＳＡ２）。すなわち、これらＳＡ１、ＳＡ２の処理により、走査部１５を間欠的に動作させることができる。ここで、走査部１５による走査については、例えば、走査部１５は、所定の周波数帯域のうち、低い周波数から高い周波数（又は、高い周波数から低い周波数）に至るように順次走査してもよい（いわゆる順次走査）。あるいは、走査部１５は、所定の周波数帯域のうち、低い周波数から高い周波数（又は、高い周波数から低い周波数）に至るように、所定の周波数毎に走査してもよい（いわゆる飛び越し走査）。あるいは、走査部１５は、所定の周波数帯域をランダムに走査してもよい（いわゆるランダム走査）。なお、走査部１５による所定の周波数帯域の走査が完了するまでＳＡ２の処理が行われ、この走査が完了するまでの間、後述するＳＡ３〜ＳＡ５の処理が繰り返し行われる。
【００４３】
次に、制御部１８は、ＳＡ２にて所定の周波数帯域を走査させながら、走査部１５にて走査された所定の周波数帯域内の周波数に対応する告知放送信号が、無線受信部１０によって無線受信されたか否かを判定する（ＳＡ３）。具体的には、まず、無線受信部１０によって無線受信された信号の通信制御コードにＤＴＭＦ信号又はテストＤＴＭＦ信号が含まれているか否かが判定される。次いで、当該無線受信された信号の通信制御コードにＤＴＭＦ信号又はテストＤＴＭＦ信号が含まれている場合に、当該無線受信された信号のレベルが所定値以上であるか否かが判定される。ここで、無線受信された信号のレベルが所定値以上である場合、告知放送信号が無線受信されたと判定される。一方、無線受信された信号の通信制御コードにＤＴＭＦ信号又はテストＤＴＭＦ信号が含まれていない場合、又は無線受信された信号のレベルが所定値を下回っている場合には、告知放送信号が無線受信されなかったと判定される。
【００４４】
ここで、無線受信部１０によって、告知放送信号が無線受信された場合（ＳＡ３、Ｙｅｓ）、制御部１８は、当該受信された告知放送信号に対応する周波数を、周波数特定情報として周波数テーブル１９ａに記憶させる（ＳＡ４）。図３の例では、無線受信部１０によって、８０．２ＭＨｚに対応する告知放送信号が受信された場合において、周波数テーブル１９ａにおける「ＣＨ３」に対応するチャンネル名情報に関連付けられた周波数特定情報が記憶されていない場合には、制御部１８は、この告知放送信号に対応する周波数である８０．２ＭＨｚを、当該「ＣＨ３」に対応するチャンネル名情報に関連付けられた周波数特定情報として記憶させる。これにより、周波数テーブル１９ａに記憶されている周波数とは異なる周波数を新たに追加することができる。そして、例えば、ユーザがチャンネル選択スイッチ１６ａ３を介して所定操作（例えば、チャンネル選択スイッチ１６ａ３を１回押し等）を行うだけで、無線受信部１０は、チャンネル選択スイッチ１６ａ３によって選択された８０．２ＭＨｚに対応する告知放送信号を無線受信することができ、当該無線受信した告知放送信号による告知放送を速やかに出力することができる。なお、この場合において、制御部１８の走査部１５に対する制御については、例えば、制御部１８は、後述するＳＡ４、ＳＡ５の処理が終了するまでの間、走査部１５による走査を一時的に中断させことが望ましい。
【００４５】
図６に戻り、無線受信部１０によって、告知放送信号が無線受信されなかった場合（ＳＡ３、Ｎｏ）、又は、ＳＡ４にて周波数特定情報が周波数テーブル１９ａに記憶された場合に、制御部１８は、ＳＡ２における走査部１５による走査が完了したか否かを判定する（ＳＡ５）。
【００４６】
ここで、ＳＡ２における走査部１５による走査が完了していない場合（ＳＡ５、Ｎｏ）、所定の周波数帯域のうち、まだ走査されていない周波数帯域内の周波数であって、告知放送信号が無線受信可能な周波数を周波数テーブル１９ａに記憶することができるように、制御部１８は、ＳＡ３の処理に移行すると共に、走査部１５による走査を再開させる。
【００４７】
一方、ＳＡ２における走査部１５による走査が完了した場合（ＳＡ５、Ｙｅｓ）、制御部１８は、ＳＡ１の処理に移行する。
【００４８】
（処理−緊急放送処理）
次に、告知放送受信機１が実行する緊急放送処理について説明する。図７は、実施の形態１に係る告知放送受信機１が実行する緊急放送処理のフローチャートである。この緊急放送処理は、いつ受信するかわからない緊急用の告知放送を受信した場合に即座にユーザに放送できるように常時実行している。
【００４９】
図７に示すように、まず、制御部１８は、無線受信部１０によって、緊急用の告知放送信号が受信されたか否かを判定する（ＳＢ１）。具体的には、まず、周波数テーブル１９ａに格納されている周波数特定情報に対応する周波数の信号が無線受信部１０によって無線受信している状態で、当該無線受信された信号の通信制御コードにＤＴＭＦ信号が含まれているか否かが判定される。次いで、無線受信された信号にＤＴＭＦ信号が含まれている場合には、当該無線受信された信号のレベルが所定値以上であるか否かが判定される。ここで、無線受信された信号のレベルが所定値以上である場合、告知放送信号が無線受信されたと判定される。一方、無線受信された信号にＤＴＭＦ信号が含まれていない場合、又は無線受信された告知放送信号のレベルが所定値を下回っている場合には、告知放送信号が無線受信されなかったと判定される。
【００５０】
ここで、無線受信部１０によって、告知放送信号が無線受信されたと判定された場合（ＳＢ１、Ｙｅｓ）、制御部１８は、上述した告知放送受信機１の回路の一部の電源を起動させる（ＳＢ２）。次いで、制御部１８は、音量調整部１２によって、スピーカ１４の音量を最大音量に調整させ（ＳＢ３）、その後、スピーカ１４によって、無線受信された告知放送信号による告知放送（いわゆる緊急放送）を出力させる（ＳＢ４）。また放送中に放送チャンネルに対応するチャンネル表示灯を点灯する。これにて、緊急放送処理は終了する。
【００５１】
（効果）
このように実施の形態１によれば、走査部１５にて所定の周波数帯域を走査させながら、無線受信部１０にて告知放送信号が無線受信されたか否かを判定し、無線受信部１０にて告知放送信号が無線受信されたと判定した場合に、当該告知放送信号に対応する周波数を、周波数特定情報として周波数テーブル１９ａに記憶させる制御部１８を備えているので、周波数テーブル１９ａに記憶されている周波数とは異なる周波数を新たに追加することができる。これにより、新規にコミュニティＦＭが立ち上がった場合でも、このコミュニティＦＭから無線送信される告知放送信号を受信することができ、新たな告知放送を出力することができる。また、周波数テーブル１９ａに記憶された周波数特定情報に基づいて、放送の対象になる周波数を選択するチャンネル選択スイッチ１６ａ１〜１６ａ３を備えているので、例えば、ユーザがチャンネル選択スイッチ１６ａ１〜１６ａ３のうち、新たに追加された周波数が選択可能なチャンネルを介して所定操作を行うだけで、無線受信部１０は、当該チャンネルによって選択された周波数に対応する告知放送信号を含むコミュニティＦＭ放送を聴取することができ、当該無線受信した告知放送信号による告知放送を速やかに出力することができる。
【００５２】
また、制御部１８は、走査部１５を間欠的に動作させ、走査部１５の動作中に、無線受信部１０にて告知放送信号が無線受信されたか否かを判定し、当該無線受信部１０にて告知放送信号が無線受信されたと判定した場合に、当該告知放送信号に対応する周波数を、周波数特定情報として周波数テーブル１９ａに記憶させるので、この周波数特定情報を記憶させる手間を省くことができ、告知放送受信機１の使用性を向上させることができる。
【００５３】
また、制御部１８は、無線受信部１０にて無線受信された信号にＤＴＭＦ信号又はテストＤＴＭＦ信号が含まれており、且つ、当該無線受信された信号のレベルが所定値以上である場合に、無線受信部１０にて告知放送信号が無線受信されたと判定するので、例えば、告知放送信号に対応する周波数のみを、周波数特定情報として周波数テーブル１９ａに正確に記憶することが可能となる。
【００５４】
〔実施の形態２〕
次に、実施の形態２について説明する。この形態は、ユーザによって操作手段を介して所定操作が行われた場合に、走査手段を動作させて、この走査手段の動作中に、周波数特定情報を記憶手段に記憶させる形態である。なお、特に説明なき構造については、実施の形態１の構造と同様であり、実施の形態１と略同様の構成要素、及び処理については、必要に応じて、実施の形態１で用いたのと同一の符号又は名称を付してその説明を省略する。
【００５５】
（構成）
図８は、実施の形態２に係る告知放送受信機の構成を示すブロック図である。図８に示すように、実施の形態２に係る告知放送受信機１０１は、実施の形態１の告知放送受信機１の構成要素に対して、操作部１６に走査スイッチ１６ｄと、周波数設定スイッチ１６ｅとを加えて構成されている。
ここで、走査スイッチ１６ｄは、走査部１５を起動し、当該走査部１５に対して所定の周波数帯域の走査することを指示するための走査指示手段であり、例えば公知のプッシュスイッチ等で構成されている。また、周波数設定スイッチ１６ｅは、無線受信部１０にて受信された告知放送信号に対応する周波数を、周波数特定情報として周波数テーブル１９ａに記憶することを指示するための周波数設定指示手段であり、例えば公知のプッシュスイッチ等で構成されている。なお、これら走査スイッチ１６ｄ、及び周波数設定スイッチ１６ｅは、特許請求の範囲における「操作手段」に対応する。
【００５６】
（処理−周波数設定処理）
次に、このように構成された告知放送受信機１０１が実行する周波数設定処理について説明する。図９は、実施の形態２に係る告知放送受信機１０１が実行する周波数設定処理のフローチャートである。なお、実施の形態２に係る告知放送受信機１０１の周波数設定処理のうち、ＳＣ２は図６のＳＡ２と、ＳＣ３はＳＡ３と、ＳＣ６はＳＡ４と、ＳＣ８はＳＡ５と、それぞれ同様であるので、説明を省略する。また、この周波数設定処理の実行タイミングは任意であり、例えば、告知放送受信機１０１の電源が投入された後に起動される。
【００５７】
図９に示すように、まず、制御部１８は、走査スイッチ１６ｄによって、走査部１５に対する走査指示が受け付けられたか否かを判定する（ＳＣ１）。具体的には、ユーザが走査スイッチ１６ｄを介して所定操作（例えば、走査スイッチ１６ｄを１回押し等）を行った場合、走査部１５に対する走査指示が受け付けられたと判定される。一方、ユーザが走査スイッチ１６ｄを介して所定操作を行わなかった場合、走査部１５に対する走査指示が受け付けられなかったと判定される。
【００５８】
ここで、走査部１５に対する走査指示が受け付けられたと判定された場合（ＳＣ１、Ｙｅｓ）、制御部１８は、ＳＣ２の処理を行う。
【００５９】
また、ＳＣ３の処理において、無線受信部１０によって、告知放送信号が無線受信されなかった場合（ＳＣ３、Ｎｏ）、制御部１８は、ＳＣ８の処理を行う。
【００６０】
一方、無線受信部１０によって、告知放送信号が無線受信された場合（ＳＣ３、Ｙｅｓ）、ユーザが、スピーカ１４から出力される音だけで、告知放送信号であるか否かを識別することが困難な場合がある（例えば、告知放送信号がテストＤＴＭＦ信号である場合において、スピーカ１４から音が出力されない場合が該当する）。そこで、実施の形態２では、ユーザが告知放送信号を容易に識別することができるように、無線受信部１０によって、告知放送信号が無線受信された場合（ＳＣ３、Ｙｅｓ）、制御部１８は、表示部１７によって、当該告知放送信号が無線受信された旨を表示させることとしている（ＳＣ４）。具体的には、制御部１８は、一般放送表示灯１７ｃ、受信レベル表示灯１７ｄ、充電表示灯１７ｅ、電池状態表示灯１７ｆのすべてを点灯又は点滅させる。あるいは、これに限られず、チャンネル表示灯１７ｇ１〜１７ｇ６のうち、少なくとも２以上を点灯又は点滅させてもよい。なお、この表示部１７は、特許請求の範囲における「表示手段」に対応する。
【００６１】
次に、制御部１８は、周波数設定スイッチ１６ｅによって、ＳＣ３にて無線受信された告知放送信号に対応する周波数を周波数テーブル１９ａに記憶するための設定指示が受け付けられたか否かを判定する（ＳＣ５）。具体的には、ユーザが周波数設定スイッチ１６ｅを介して所定操作（例えば、周波数設定スイッチ１６ｅを１回押し等）を行った場合、上記設定指示が受け付けられたと判定される。一方、ユーザが周波数設定スイッチ１６ｅを介して所定操作を行わなかった場合、上記設定指示が受け付けられなかったと判定される。
【００６２】
ここで、上記設定指示が受け付けられたと判定された場合（ＳＣ５、Ｙｅｓ）、制御部１８は、ＳＣ６の処理し、その後ＳＣ８の処理を行う。
【００６３】
一方、上記設定指示が受け付けられなかったと判定された場合（ＳＣ５、Ｎｏ）、上記設定指示が受け付けられるまで、制御部１８は、ＳＣ５の処理を繰り返してもよいとも考えられる。しかしながら、ＳＣ３にて告知放送信号が無線受信されたとしても、例えば、無線受信部１０における受信レベルが所定値を下回る場合、あるいは、当該告知放送信号による告知放送がユーザのニーズに合わない場合（具体的には、告知放送の放送内容が、ユーザが住んでいる地域とは異なる地域に関する内容である場合等）においても、当該告知放送信号に対応する周波数を、周波数特定情報として周波数テーブル１９ａに記憶することは、ユーザにとって適当ではない。そこで、実施の形態２では、状況に応じた周波数特定情報の記憶が可能となるように、上記設定指示が受け付けられなかったと判定された場合（ＳＣ５、Ｎｏ）、制御部１８は、上記設定指示が受け付けられないまま所定時間（例えば１０秒）が経過したか否かを判定することとしている（ＳＣ７）。
【００６４】
ここで、上記設定指示が受け付けられないまま所定時間が経過していないと判定された場合（ＳＣ７、Ｎｏ）、制御部１８は、ＳＣ５の処理に移行する。
【００６５】
一方、上記設定指示が受け付けられないまま所定時間が経過したと判定された場合（ＳＣ７、Ｙｅｓ）、ユーザは上記設定指示を行う意思がないものとして、制御部１８は、当該告知放送信号に対応する周波数を、周波数特定情報として周波数テーブル１９ａに記憶することなく、ＳＣ８の処理を行う。
【００６６】
（効果）
このように実施の形態２によれば、制御部１８は、走査スイッチ１６ｄを介して所定の操作入力が受け付けられた場合に、走査部１５を動作させ、走査部１５の動作中に、無線受信部１０にて告知放送信号が無線受信されたか否かを判定し、当該無線受信部１０にて告知放送信号が無線受信されたと判定した場合において、周波数設定スイッチ１６ｅを介して所定の操作入力が受け付けられた場合に、当該告知放送信号に対応する周波数を、周波数特定情報として記憶手段に記憶させるので、状況に応じた周波数特定情報の記憶が可能となり、告知放送受信機１０１の使用性を向上させることができる。
【００６７】
また、無線受信部１０にて告知放送信号が無線受信された場合に、当該告知放送信号が無線受信された旨を表示する表示部１７を備えたので、ユーザは、告知放送信号を容易に識別することができ、例えば、告知放送信号に対応する周波数のみを、周波数特定情報として周波数テーブル１９ａに記憶することが可能となる。
【００６８】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、無線受信部１０にて告知放送信号が無線受信されたか否かを正確に判定できない場合であっても、この告知放送信号の無線受信の有無の判定を従来とは異なる技術により達成できている場合には、本願発明の課題が解決されている。
【００７０】
（各実施の形態の組み合わせについて）
上記実施の形態１、２において説明した構成は、任意の組み合わせで、相互に組み合わせることができる。例えば、実施の形態２の制御部１８に、実施の形態１に係る告知放送受信機１が実行する周波数設定処理に関する制御が組み込まれてもよい。
【００７１】
（告知放送信号について）
上記実施の形態１、２では、告知放送信号には、一般用の告知放送信号、緊急用の告知放送信号、又は、設定用の告知放送信号があると説明したが、例えば、一般用の告知放送信号と、設定用の告知放送信号とは相互に組み合わせ可能である。これら信号を組み合わせたもの、すなわち、「一般設定用の告知放送信号」とは、一般放送が行われる際に、放送局から送信される信号であり、例えば一般用の告知放送信号にテストＤＴＭＦ信号を含んで構成されている。
【００７２】
（告知放送信号の受信について）
上記実施の形態１、２では、告知放送受信機は、図示しないセンター装置から無線送信された告知放送信号を、無線受信部１０を介して無線受信すると説明したが、例えば、この無線受信に加えて、図示しないセンター装置から伝送線路を介して送信された告知放送信号を受信してもよい。この場合において、告知放送受信機には、図示しないセンター装置から送信された告知放送信号を伝送線路を介して受信する受信部が設けられる。
【００７３】
（チャンネル選択スイッチ、及びラジオチャンネル選択スイッチについて）
上記実施の形態１、２では、操作部１６には、チャンネル選択スイッチ及びラジオチャンネル選択スイッチが設けられていると説明したが、ラジオチャンネル選択スイッチを省略してもよい。
【００７４】
また、上記実施の形態１、２では、チャンネル選択スイッチの個数は３つであると説明したが、例えば、チャンネル選択スイッチの個数は１つ、又は２つであってもよく、あるいは、３つ以上であってもよい。
【００７５】
（周波数設定処理について）
上記実施の形態１、２では、ＳＡ４（又はＳＣ６）の処理において、無線受信部１０によって、８０．２ＭＨｚに対応する告知放送信号が受信された場合において、周波数テーブル１９ａにおける「ＣＨ３」に対応するチャンネル名情報に関連付けられた周波数特定情報が記憶されていない場合には、制御部１８は、この告知放送信号に対応する周波数である８０．２ＭＨｚを、当該「ＣＨ３」に対応するチャンネル名情報に関連付けられた周波数特定情報として記憶させると説明したが、これに限られない。例えば、周波数テーブル１９ａにおけるチャンネル名情報に関連付けられた周波数特定情報がすべて記憶されている場合に、制御部１８は、無線受信部１０によって無線受信された告知放送信号に対応する周波数に基づいて、既に記憶されている周波数特定情報を更新させてもよい。図３の例では、無線受信部１０によって、８４．５ＭＨｚに対応する告知放送信号が受信された場合において、周波数テーブル１９ａにおける「ＣＨ１」に対応するチャンネル名情報に関連付けられた周波数特定情報（図３では、７６．５ＭＨｚ）が記憶されている場合に、制御部１８は、この７６．５ＭＨｚに代えて、この告知放送信号に対応する周波数である８４．５ＭＨｚを、当該「ＣＨ１」に対応するチャンネル名情報に関連付けられた周波数特定情報として更新させる。これにより、周波数テーブル１９ａに既に記憶されている周波数特定情報を、告知放送受信機が設置されている地域に応じた周波数特定情報に変更することができる。
【００７６】
また、上記実施の形態２では、ＳＣ４の処理において、制御部１８は、表示部１７によって、当該告知放送信号が無線受信された旨を表示させると説明したが、例えば、このＳＣ４の処理を省略してもよい。
【００７７】
また、上記実施の形態２では、ＳＣ７の処理において、上記設定指示が受け付けられないまま所定時間が経過したと判定された場合（ＳＣ７、Ｙｅｓ）、制御部１８は、当該告知放送信号に対応する周波数を、周波数特定情報として周波数テーブル１９ａに記憶することなく、ＳＣ８の処理を行うと説明したが、これに限られない。例えば、ＳＣ７の処理において、上記設定指示が受け付けられないまま所定時間が経過していないと判定された場合であっても、ユーザが操作部１６を介して所定操作（例えば、チャンネル選択スイッチ１６ａ１〜１６ａ３のいずれか一つを長押し等）が行われた場合には、制御部１８は、当該告知放送信号に対応する周波数を、周波数特定情報として周波数テーブル１９ａに記憶することなく、ＳＣ８の処理を行うようにしてもよい。
【００７８】
（緊急放送処理について）
上記実施の形態１、２では、この緊急放送処理の実行タイミングは、告知放送受信機の電源が切断された場合に起動されると説明したが、例えば、ラジオ放送が出力されている場合に起動されてもよい。この場合において、ＳＢ２の処理は省略される。
【符号の説明】
【００７９】
１、１０１  告知放送受信機
１０  無線受信部
１１  音声切換え部
１２  音量調整部
１３  アンプ
１４  スピーカ
１５  走査部
１６  操作部
１６ａ１〜１６ａ３  チャンネル選択スイッチ
１６ｂ１〜１６ｂ３  ラジオチャンネル選択スイッチ
１６ｃ  ボリュームスイッチ
１６ｄ  走査スイッチ
１６ｅ  周波数設定スイッチ
１７  表示部
１７ａ  電源表示灯
１７ｂ  緊急放送表示灯
１７ｃ  一般放送表示灯
１７ｄ  受信レベル表示灯
１７ｅ  充電表示灯
１７ｆ  電池状態表示灯
１７ｇ１〜１７ｇ６  チャンネル表示灯
１８  制御部
１９  メモリ
１９ａ  周波数テーブル
２０  筐体
２０ａ  正面カバー
２０ｂ  背面カバー
２１  音響孔
２２  アンテナ
【図１】
2014033246.tif 000003
【図２】
2014033246.tif 000004
【図３】
2014033246.tif 000005
【図４】
2014033246.tif 000006
【図５】
2014033246.tif 000007
【図６】
2014033246.tif 000008
【図７】
2014033246.tif 000009
【図８】
2014033246.tif 000010
【図９】
2014033246.tif 000011